【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報を変動表示する識別情報表示手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
前記識別情報の変動表示に伴って所定の遊技演出を実行する遊技演出実行手段と、
遊技者が所定の入力を行う入力手段と、を備えた遊技機であって、
前記遊技演出として、前記入力手段への入力に基づいて、複数の選択対象画像から何れかを選択する選択演出を有し、
前記選択演出は、
前記入力手段への入力に基づいて何れかの選択対象画像を選択した結果、特定画像又は前記特定画像と異なる非特定画像を表示する結果表示演出と、前記入力手段への入力に基づいて何れかの選択対象画像を選択する演出に伴って、選択対象画像を変化して再度選択対象画像を表示する再選択演出と、を有し、
前記選択演出として、前記再選択演出が実行された場合には、その後前記結果表示演出を実行可能とするものであり、
前記特定画像は、前記非特定画像よりも、前記特別遊技の実行可能性として高い可能性を示すものであり、
前記遊技演出実行手段は、
前記選択演出において前記再選択演出が実行された場合、前記再選択演出の変化態様によって、その後の前記結果表示演出において前記特定画像を表示する可能性が異なることを特徴とする遊技機。
【請求項２】
前記遊技演出実行手段は、
前記選択演出において、前記再選択演出を実行した後に前記結果表示演出を行う方が、前記再選択演出を実行することなく前記結果表示演出を行うよりも、高い可能性で前記特定画像を表示することを特徴とする請求項１に記載の遊技機。
【請求項３】
前記再選択演出によって、選択対象画像の表示態様が変化することを特徴とする請求項１又は請求項２に記載の遊技機。
【請求項４】
前記再選択演出によって変化可能な選択対象画像の表示態様を複数有し、
変化後の選択対象画像の表示態様によって、その後の前記結果表示演出において前記特定画像を表示する可能性が異なることを特徴とする請求項１乃至請求項３の何れか一項に記載の遊技機。
【手続補正２】
【補正対象書類名】明細書
【補正対象項目名】０００６
【補正方法】変更
【補正の内容】
【０００６】
（１）上述の課題を解決するための第１発明の遊技機は、
所定条件の成立に基づいて識別情報を変動表示する識別情報表示手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
前記識別情報の変動表示に伴って所定の遊技演出を実行する遊技演出実行手段と、
遊技者が所定の入力を行う入力手段と、を備えた遊技機であって、
前記遊技演出として、前記入力手段への入力に基づいて、複数の選択対象画像から何れかを選択する選択演出を有し、
前記選択演出は、
前記入力手段への入力に基づいて何れかの選択対象画像を選択した結果、特定画像又は前記特定画像と異なる非特定画像を表示する結果表示演出と、前記入力手段への入力に基づいて何れかの選択対象画像を選択する演出に伴って、選択対象画像を変化して再度選択対象画像を表示する再選択演出と、を有し、
前記選択演出として、前記再選択演出が実行された場合には、その後前記結果表示演出を実行可能とするものであり、
前記特定画像は、前記非特定画像よりも、前記特別遊技の実行可能性として高い可能性を示すものであり、
前記遊技演出実行手段は、
前記選択演出において前記再選択演出が実行された場合、前記再選択演出の変化態様によって、その後の前記結果表示演出において前記特定画像を表示する可能性が異なる
ことを特徴とする。

【手続補正３】
【補正対象書類名】明細書
【補正対象項目名】０００７
【補正方法】変更
【補正の内容】
【０００７】
このような遊技機によれば、遊技者が所定の入力を行う入力手段を備え、識別情報の変動表示に伴って実行する遊技演出として、当該入力手段を用いて演出を行う選択演出を有している。そして、選択演出は、入力手段への入力に基づいて複数の選択対象画像から何れかの選択対象画像を選択した結果として特定画像又は非特定画像を表示する結果表示演出と、入力手段への入力に基づいて結果表示をすることなく、選択対象画像を変化させて再度選択対象画像を表示する再選択演出と、を有し、再選択演出を実行した場合は、その後に結果表示演出を実行可能とする。また、選択演出において特定画像を表示する場合、非特定画像を表示するよりも特別遊技の実行可能性として高い可能性を示すものであり、選択演出において、再選択演出を実行した後に結果表示演出を行う方が、再選択演出を実行することなく結果表示演出を行うよりも、結果表示演出において高い可能性で特定画像を表示するものである。また、選択演出において再選択演出が実行されると、選択対象画像の変化態様に応じて、その後の結果表示演出において特定画像を表示する可能性が異なる。
これにより、選択演出が実行された際に入力手段への入力に基づいて、特定画像を表示する可能性がある結果表示演出が実行される場合と、選択対象画像が変化して再度の選択を可能とする再選択演出が実行される場合と、があり、意外性のある遊技演出によって遊技興趣を高めることが可能となる。また、遊技者は、選択演出が実行された場合には、特定画像の表示に期待して入力手段に入力を行うと共に、再選択演出が実行された場合には、その変化の態様に応じて特定画像が表示されるため、特定画像の表示、ひいては特別遊技への期待感を更に高め、遊技興趣を高めることが可能となる。ここで、「再選択演出の変化態様」として、例えば、選択対象画像の数を変化（増加、減少）させたり、選択対象画像の大きさを変化（大きく、小さく）させたり、表示態様を変化（絵柄、色、模様）させたり、これらを組合せて変化させたりすること等を挙げることができる。
（２）また、第２発明の遊技機は、第１発明の遊技機において、
前記遊技演出実行手段は、
前記選択演出において、前記再選択演出を実行した後に前記結果表示演出を行う方が、前記再選択演出を実行することなく前記結果表示演出を行うよりも、高い可能性で前記特定画像を表示することを特徴とする。
このような遊技機によれば、選択演出において、再選択演出を実行した後に結果表示演出を行う方が、再選択演出を実行することなく結果表示演出を行うよりも、結果表示演出において高い可能性で特定画像を表示するものである。これにより、遊技者は、選択演出が実行された場合には、特定画像の表示に期待して入力手段に入力を行うと共に、再選択演出が実行された場合には、特定画像の表示、ひいては特別遊技への期待感を更に高め、遊技興趣を高めることが可能となる。
（３）また、第３発明の遊技機は、第１発明又は第２発明の遊技機において、
前記再選択演出によって、選択対象画像の表示態様が変化することを特徴とする。
このような遊技機によれば、再選択演出によって、選択対象画像の表示態様が変化するものとする。これにより、遊技者は、再選択演出によって、選択対象画像が変化したことを認識し、その後に実行される結果表示演出において特定画像を表示することに対する期待感を高めることが可能となる。
（４）また、第４発明の遊技機は、第１発明乃至第３発明の遊技機において、
前記再選択演出によって変化可能な選択対象画像の表示態様を複数有し、
変化後の選択対象画像の表示態様によって、その後の前記結果表示演出において前記特定画像を表示する可能性が異なることを特徴とする。
このような遊技機によれば、再選択演出によって変化する選択対象画像の変化後の表示態様を複数有し、再選択演出が実行され、選択対象画像が何れの表示態様に変化したかによって、その後に実行される結果表示演出における特定画像の表示可能性が異なるものとする。これにより、再選択演出が実行される際の遊技者の変化態様への期待感を高め、当該変化態様によって特定画像の表示への期待感を変化させることが可能となる。またこれにより、遊技興趣を高めることが可能となる。